(57)【特許請求の範囲】
【請求項１】
筐体と、
前記筐体の外部の空気が吸気される吸気口と、
前記筐体の外部へ空気を排出する排出口と、
前記吸気口から前記排出口へと空気の流れを発生させる空気流発生部と、
前記筐体内の空間にオゾンを発生するオゾン発生部と、
前記オゾン発生部よりも下流側に配置される下流フィルター部と
を備え、
前記下流フィルター部は、
一方の側に配置される第１フィルターと、
他方の側に配置され、前記第１フィルターと対向する第２フィルターと、
前記第１フィルターと前記第２フィルターとを支持する支持部と、
前記第１フィルターと前記第２フィルターと前記支持部とによって形成される空間であって、前記オゾンを吸着し、酸化作用を発現する触媒を収容する収容部とを有し、
前記支持部は、空気流通路内に設けられる枠状の本体部を有し、
前記本体部には開口が形成され、
前記第１フィルターは前記開口の一方の側に取り付けられ、
前記第２フィルターは前記開口の他方の側に取り付けられ、
前記触媒は粉体または粉体の成形体であり、
前記触媒は、前記収容部に敷き詰められるように収容されており、
前記収容部に敷き詰められるように収容された触媒を介して前記第１フィルターから前記第２フィルターへと空気が通り抜ける、空気清浄機。
【請求項２】
前記触媒は、ウイルスまたは菌の少なくとも一方を吸着する、請求項１に記載の空気清浄機。
【請求項３】
前記支持部は、前記開口を塞ぐように前記本体部に取り付けられる蓋部をさらに有する、請求項１または請求項２に記載の空気清浄機。
【請求項４】
前記触媒はシリカおよび活性炭の少なくとも一方を含む、請求項１から請求項３のいずれか１項に記載の空気清浄機。
【請求項５】
前記オゾン発生部よりも上流側に配置され、前記吸気口から吸気された空気を濾過する上流フィルター部をさらに備え、
前記オゾン発生部がオゾンを発生する前記筐体内の空間は、前記上流フィルター部と前記下流フィルター部とによって規定される、請求項１から請求項４のいずれか１項に記載の空気清浄機。
【請求項６】
前記上流フィルター部は活性炭を含む、請求項５に記載の空気清浄機。
【請求項７】
前記筐体は、
底面と、
前記底面に接続する複数の側面と、
前記複数の側面に接続する天面と
を有し、
前記吸気口は、前記複数の側面に設けられ、かつ、前記天面よりも前記底面側に設けられ、
前記排出口は、前記天面に設けられる、請求項１から請求項６のいずれか１項に記載の空気清浄機。
【請求項８】
前記複数の側面は、
前記吸気口が設けられる第１側面と、
前記第１側面に接続する第２側面と
を有し、
前記オゾン発生部は、前記第２側面に設けられる、請求項７に記載の空気清浄機。
【発明の詳細な説明】
【技術分野】
【０００１】
本発明は、空気清浄機に関する。
【背景技術】
【０００２】
特許文献１に記載の空気清浄機は、紫外線ランプを含む。特許文献１に記載の空気清浄機は、紫外線ランプによって、空気に存在するバクテリア（細菌）やウイルスを滅菌している。
【先行技術文献】
【特許文献】
【０００３】
【特許文献１】実用新案登録第３２２３６２３号公報
【発明の概要】
【発明が解決しようとする課題】
【０００４】
しかしながら、特許文献１に記載の空気清浄機では、ウイルスや菌が固定されていない状態で、紫外線ランプを照射しているため、ウイルスや菌に対して十分な紫外線照射が行われない。したがって、ウイルスや菌に対して殺菌効果が十分でない可能性がある。その結果、効果的に室内の空気が清浄化されない可能性がある。
【０００５】
本発明は上記課題に鑑みてなされたものであり、その目的は効果的に室内の空気を清浄化できる空気清浄機を提供することにある。
【課題を解決するための手段】
【０００６】
本発明に係る空気清浄機は、筐体と、吸気口と、排出口と、空気流発生部と、オゾン発生部と、下流フィルター部とを備える。前記吸気口には、前記筐体の外部の空気が吸気される。前記排出口は、前記筐体の外部へ空気を排出する。前記空気流発生部は、前記吸気口から前記排出口へと空気の流れを発生させる。前記オゾン発生部は、前記筐体内の空間にオゾンを発生する。前記下流フィルター部は、前記オゾン発生部よりも下流側に配置される。前記下流フィルター部は、第１フィルターと、第２フィルターと、支持部と、収容部とを有する。前記第１フィルターは、一方の側に配置される。前記第２フィルターは、他方の側に配置される。前記第２フィルターは、前記第１フィルターと対向する。前記支持部は、前記第１フィルターと前記第２フィルターとを支持する。前記収容部は、前記第１フィルターと前記第２フィルターとの間に形成される。前記収容部は、触媒を収容する。前記触媒は、前記オゾンを吸着し、酸化作用を発現する。
【０００７】
ある実施形態において、前記触媒は、ウイルスまたは菌の少なくとも一方を吸着する。
【０００８】
ある実施形態において、前記触媒は粉体または粉体の成形体である。
【０００９】
ある実施形態において、前記触媒はシリカおよび活性炭の少なくとも一方を含む吸着剤を有する。
【００１０】
ある実施形態において、前記空気清浄機は、上流フィルター部をさらに備える。前記上流フィルター部は、前記オゾン発生部よりも上流側に配置される。前記上流フィルター部は、前記吸気口から吸気された空気を濾過する。前記オゾン発生部がオゾンを発生する前記筐体内の空間は、前記上流フィルター部と前記下流フィルター部とによって規定される。
【００１１】
ある実施形態において、前記上流フィルター部は活性炭を含む。
【００１２】
ある実施形態において、前記筐体は、底面と、複数の側面と、天面とを有する。前記複数の側面は、前記底面に接続する。前記天面は、前記複数の側面に接続する。前記吸気口は、前記複数の側面に設けられ、かつ、前記天面よりも前記底面側に設けられる。前記排出口は、前記天面に設けられる。
【００１３】
ある実施形態において、前記複数の側面は、第１側面と、第２側面とを有する。前記第１側面には、前記吸気口が設けられる。前記第２側面は、前記第１側面に接続する。前記オゾン発生部は、前記第２側面に設けられる。
【発明の効果】
【００１４】
本発明に係る空気清浄機によれば、効果的に室内の空気を清浄化することができる。
【図面の簡単な説明】
【００１５】
【図１】本発明の実施形態に係る空気清浄機の模式的な斜視図である。
【図２】本発明の実施形態に係る空気清浄機の模式的な斜視図である。
【図３】本発明の実施形態に係る空気清浄機の内部構成を示す模式図である。
【図４】本発明の実施形態に係る空気清浄機の内部構成を示す模式図である。
【図５】下流フィルターユニットの模式的な斜視図である。
【図６】下流フィルターユニットの模式的な分解斜視図である。
【図７】下流フィルターユニットの模式的な上面図である。
【図８】下流フィルターユニットの模式的な上面図である。
【発明を実施するための形態】
【００１６】
以下、本発明の実施形態について、図面を参照しながら説明する。なお、図中、同一または相当部分については同一の参照符号を付して説明を繰り返さない。
【００１７】
図１を参照して、本発明の実施形態に係る空気清浄機１００について説明する。図１は、本発明の実施形態に係る空気清浄機１００の模式的な斜視図である。
【００１８】
図１に示すように、空気清浄機１００は、筐体１１０と、吸気口１２０と、排出口１２５とを備える。空気清浄機１００は、室内に設置される。例えば、空気清浄機１００は、オフィスの居室または病院の待合室のような比較的広い室内に設置される。空気清浄機１００は、空気清浄機１００が設置された室内の空気を清浄化する。詳しくは、空気清浄機１００は、空気清浄機１００が設置された室内の空気中に含まれる塵埃を除去する。さらに、空気清浄機１００は、空気中に含まれるウイルスまたは菌を除去する。
【００１９】
筐体１１０は、例えば、直方体状である。筐体１１０は、底面１１５と、複数の側面（側面１１１、側面１１２、側面１１３および側面１１４）と、天面１１６とを有する。側面１１１、側面１１２、側面１１３および側面１１４は、底面１１５に接続する。側面１１２と側面１１４とは、側面１１１に接続する。側面１１２と側面１１４とは、側面１１３に接続する。側面１１２は、開閉扉１１７を有する。開閉扉１１７は、開閉可能である。図１では、隠れており見えていないが、同様に、側面１１４は、開閉扉１１７を有する。開閉扉１１７は、例えば、ビスのような固定具で筐体１１０に取り付けられていてもよい。この場合、固定具を取り外すことによって、開閉扉１１７を取り外すことが可能である。なお、側面１１１は、「第１側面」の一例に相当する。また、側面１１２と側面１１４とは、「第２側面」の一例に相当する。
【００２０】
吸気口１２０は、筐体１１０の外部の空気が吸気される。吸気口１２０は、側面に設けられる。本実施形態では、吸気口１２０は、側面１１１に設けられる。吸気口１２０は、天面１１６よりも底面１１５側に設けられる。
【００２１】
排出口１２５は、筐体１１０の外部へ空気を排出する。排出口１２５は、天面１１６に設けられる。したがって、空気清浄機１００によって清浄化された空気は、排出口１２５から上方へ排出される。その結果、清浄化された空気を効率良く室内に循環させることができる。
【００２２】
図２〜図４を参照して、空気清浄機１００についてさらに説明する。図２は、本発明の実施形態に係る空気清浄機１００の模式的な斜視図である。図３および図４は、本発明の実施形態に係る空気清浄機１００の内部構成を示す模式図である。なお、図２では、図面を見易くするために、側面１１１、側面１１２、側面１１４および吸気口１２０を二点鎖線で示している。また、図３は、空気清浄機１００を上方から見た図である。また、図４は、空気清浄機１００を側方から見た図である。図３および図４において、白抜き矢印は、空気の流れを示す。
【００２３】
図２〜図４に示すように、空気清浄機１００は、筐体１１０と、吸気口１２０と、排出口１２５とに加えて、上流フィルター部１３０と、２つのオゾン発生部１４０（オゾン発生部１４０ａとオゾン発生部１４０ｂ）と、下流フィルター部１５０と、空気流発生部１６０とをさらに備える。
【００２４】
空気流発生部１６０は、吸気口１２０から排出口１２５へと空気の流れを発生させる。空気流発生部１６０は、上流から下流に向けて空気の流れを発生させる。本実施形態では、空気流発生部１６０は、＋Ｙ方向側に向けて空気の流れを発生させる。すなわち、本実施形態では、−Ｙ方向側が空気の流れの上流側であり、＋Ｙ方向側が空気の流れの下流側である。換言すると、空気の流れの吸気口１２０に近い側が上流側であり、空気の流れの排出口１２５に近い側が下流側である。本明細書において、空気の流れの上流側を単に「上流側」、空気の流れの下流側を単に「下流側」と記載する場合がある。
【００２５】
空気流発生部１６０は、例えば、エアーホイルファンである。空気流発生部１６０は、駆動部１６２と、羽根部１６４とを有する。駆動部１６２は、例えば、モーターである。駆動部１６２は、羽根部１６４を駆動する。詳しくは、駆動部１６２は、羽根部１６４を回転させる。羽根部１６４が回転することによって負圧が発生し、上流側の空気を下流側に吸引する。その結果、空気流発生部１６０は、吸気口１２０から排出口１２５へと空気の流れを発生させる。
【００２６】
上流フィルター部１３０は、オゾン発生部１４０よりも上流側に配置される。上流フィルター部１３０は、吸気口１２０から吸気された空気を濾過する。詳しくは、上流フィルター部１３０は、吸気口１２０から吸気された空気中に含まれる塵埃を除去する。その結果、上流フィルター部１３０の下流側には、塵埃が除去された空気が流れる。
【００２７】
上流フィルター部１３０は、取付板１３２と、上流フィルターユニット１３６ａと、上流フィルターユニット１３６ｂとを有する。なお、本明細書において、上流フィルターユニット１３６ａと、上流フィルターユニット１３６ｂとを総称して、上流フィルターユニット１３６と記載することがある。本実施形態では、上流フィルターユニット１３６は、後述する下流フィルターユニット１５６と同様の構成を有する。
【００２８】
上流フィルター部１３０は活性炭を含むことが好ましい。上流フィルター部１３０が活性炭を含むことによって、臭い成分を吸着することができる。臭い成分は、臭いの原因となる臭気物質である。臭い成分は、例えば、アンモニア、メチルメルカプタン、トリメチルアミン、および／または、ノネナール等である。上流フィルター部１３０が、臭い成分を吸着することによって脱臭効果を向上させることができる。
【００２９】
オゾン発生部１４０は、筐体１１０内の空間Ｓにオゾンを発生する。空間Ｓは、上流フィルター部１３０と下流フィルター部１５０とによって規定される。詳しくは、空間Ｓは、上流フィルター部１３０の取付板１３２と、下流フィルター部１５０の取付板１５２とによって規定される。下流フィルター部１５０の取付板１５２については、後述する。オゾン発生部１４０は、例えば、オゾン管または放電管である。オゾン発生部１４０は、筐体１１０の側面に設けられる。詳しくは、オゾン発生部１４０ａは、側面１１２に設けられる。オゾン発生部１４０ｂは、側面１１４に設けられる。オゾン発生部１４０ａと、オゾン発生部１４０ｂとは、対向する位置に設けられる。オゾン発生部１４０は、空間Ｓにオゾンを発生することによって、空間Ｓをオゾンで満たす。空間Ｓ内のオゾン濃度は、筐体１１０の外部のオゾン濃度よりも高い。空間Ｓ内のオゾン濃度は、例えば、ウイルスまたは菌を殺菌できる濃度である。本実施形態では、空間Ｓ内のオゾン濃度は、０．０１ｐｐｍである。オゾン発生部１４０は、取り外し可能であることが好ましい。例えば、オゾン発生部１４０は、開閉扉１１７（図１参照）を開くことによって、オゾン発生部１４０が露出されるように構成されていることが好ましい。その結果、オゾン発生部１４０を容易に交換することができる。
【００３０】
下流フィルター部１５０は、オゾン発生部１４０よりも下流側に配置される。換言すると、下流フィルター部１５０は、オゾン発生部１４０よりも排出口１２５側に配置される。下流フィルター部１５０は、対象物を吸着する。下流フィルター部１５０は、例えば、ウイルスおよび菌の少なくとも１つを吸着する。あるいは、下流フィルター部１５０は、臭い成分を吸着してもよい。
【００３１】
下流フィルター部１５０は、取付板１５２と、下流フィルターユニット１５６ａと、下流フィルターユニット１５６ｂとを有する。なお、本明細書において、下流フィルターユニット１５６ａと、下流フィルターユニット１５６ｂとを総称して、下流フィルターユニット１５６と記載することがある。取付板１５２には、下流フィルターユニット１５６ａと、下流フィルターユニット１５６ｂとが取り付けられている。下流フィルターユニット１５６の厚さ（Ｙ軸方向に沿った長さ）は、例えば、７０ｍｍである。
【００３２】
図５〜図７を参照して、下流フィルターユニット１５６について説明する。図５は、下流フィルターユニット１５６の模式的な斜視図である。図６は、下流フィルターユニット１５６の模式的な分解斜視図である。図７は、下流フィルターユニット１５６の模式的な上面図である。なお、図７は、蓋部１５６４ｂを取り外した状態を示している。また、図７において、白抜き矢印は、空気の流れを示す。また、図７において、収容部１５６６には、ドットハッチングを付している。
【００３３】
図６に示すように、下流フィルターユニット１５６は、第１フィルター１５６１と、第２フィルター１５６２と、支持部１５６４と、収容部１５６６とを有する。
【００３４】
第１フィルター１５６１は、例えば、濾布である。第１フィルター１５６１は、一方の側に配置される。詳しくは、第１フィルター１５６１は、上流側（−Ｙ方向側）に配置される。第１フィルター１５６１は、プリーツ形状を有することが好ましい。第１フィルター１５６１がプリーツ形状を有することによって、第１フィルター１５６１の表面積を大きくすることができる。したがって、第１フィルター１５６１の集塵力を向上させることができる。第１フィルター１５６１は、尾根部Ａ１と、谷部Ｂ１とを有する。なお、第１フィルター１５６１は、平板状でも構わない。
【００３５】
第２フィルター１５６２は、例えば、濾布である。第２フィルター１５６２は、他方の側に配置される。詳しくは、第２フィルター１５６２は、下流側（＋Ｙ方向側）に配置される。第２フィルター１５６２は、第１フィルター１５６１と対向する。第２フィルター１５６２は、プリーツ形状を有することが好ましい。第２フィルター１５６２がプリーツ形状を有することによって、第２フィルター１５６２の表面積を大きくすることができる。したがって、第２フィルター１５６２の集塵力を向上させることができる。本実施形態では、第１フィルター１５６１の谷部Ｂ１と、第２フィルター１５６２の谷部Ｂ２とは離間している。第２フィルター１５６２は、尾根部Ａ２と、谷部Ｂ２とを有する。なお、第２フィルター１５６２は、平板状でも構わない。
【００３６】
支持部１５６４は、第１フィルター１５６１と第２フィルター１５６２とを支持する。支持部１５６４は、例えば、樹脂製である。支持部１５６４は、本体部１５６４ａと、蓋部１５６４ｂとを有する。図６に示すように、本体部１５６４ａには、開口１５６４ｃと、開口１５６４ｄとが形成されている。第１フィルター１５６１は開口１５６４ｃの上流側（−Ｙ方向側）を塞ぐように本体部１５６４ａに取り付けられる。第２フィルター１５６２は開口１５６４ｃの下流側（＋Ｙ方向側）を塞ぐように本体部１５６４ａに取り付けられる。蓋部１５６４ｂは、開口１５６４ｄの上側（＋Ｚ方向側）を塞ぐように本体部１５６４ａに取り付けられる。
【００３７】
収容部１５６６は、第１フィルター１５６１と第２フィルター１５６２との間に形成される。詳しくは、収容部１５６６は、第１フィルター１５６１と第２フィルター１５６２と支持部１５６４とで形成される。収容部１５６６は、触媒Ｃを収容する。触媒Ｃは、オゾンを吸着し、酸化作用を発現する。触媒Ｃは、オゾンに作用する。例えば、触媒Ｃは、オゾンの分解を促進する。触媒Ｃは、ウイルスまたは菌の少なくとも一方を吸着する。触媒Ｃは、シリカおよび活性炭を含む。例えば、触媒Ｃは、シリカを３０ｗｔ％以上含むことが好ましい。また、触媒Ｃは、シリカを５０ｗｔ％以上含むことがより好ましい。なお、触媒Ｃは、シリカおよび活性炭のいずれか一方のみを含んでいてもよい。触媒Ｃは、例えば、粉体または粉体の成形体である。粉体の成形体とは、例えば、圧縮によって粉体が押し固められた物である。触媒Ｃの粒径が大きすぎると、オゾンが触媒Ｃの隙間をすり抜けて触媒Ｃがオゾンに効果的に作用できなくなるため、触媒Ｃの粒径は、大きすぎない方が好ましい。一方、触媒Ｃの粒径が小さすぎると、例えば、触媒Ｃの隙間を空気が流れにくくなるため触媒Ｃがオゾンに効果的に作用できなくなるため、触媒Ｃの粒径は、小さすぎない方が好ましい。例えば、触媒Ｃの粒径は、４ｍｍ〜６ｍｍである。触媒Ｃは、収容部１５６６に敷き詰められるように収容されている。支持部１５６４の蓋部１５６４ｂを本体部１５６４ａから取り外すことによって、収容部１５６６の上方から触媒Ｃを収容部１５６６に入れることができる。
【００３８】
下流フィルターユニット１５６は、一体化されていることが好ましい。詳しくは、第１フィルター１５６１と、第２フィルター１５６２と、支持部１５６４の本体部１５６４ａとは、一体化されていることが好ましい。
【００３９】
上述したように、上流フィルターユニット１３６は、下流フィルターユニット１５６と同様の構成を有する。下流フィルターユニット１５６では、収容部１５６６に触媒Ｃを収容していたが、上流フィルターユニット１３６では、収容部に脱臭剤を収容することが好ましい。詳しくは、上流フィルターユニット１３６では、収容部に活性炭を収容することが好ましい。このように、上流フィルター部１３０は、活性炭を含むことが好ましい。詳しくは、上流フィルターユニット１３６は、活性炭を含むことが好ましい。上流フィルター部１３０が活性炭を含むことによって、臭い成分を吸着することができる。臭い成分は、臭いの原因となる臭気物質である。臭い成分は、例えば、アンモニア、メチルメルカプタン、トリメチルアミン、および／または、ノネナール等である。上流フィルター部１３０が、臭い成分を吸着することによって脱臭効果を向上させることができる。
【００４０】
なお、図７を参照して説明した下流フィルターユニット１５６では、第１フィルター１５６１の谷部Ｂ１と、第２フィルター１５６２の谷部Ｂ２とは離間していたが、第１フィルター１５６１の谷部Ｂ１と、第２フィルター１５６２の谷部Ｂ２とが接触していてもよい。図８は、下流フィルターユニット１５６の模式的な上面図である。なお、図８は、蓋部１５６４ｂを取り外した状態を示している。また、図８において、白抜き矢印は、空気の流れを示す。
【００４１】
図８に示すように、下流フィルターユニット１５６において、第１フィルター１５６１の谷部Ｂ１と、第２フィルター１５６２の谷部Ｂ２とが接触している。第１フィルター１５６１の谷部Ｂ１と、第２フィルター１５６２の谷部Ｂ２とは、接着されていてもよい。図８に示す下流フィルターユニット１５６では、収容部１５６６は複数の部分に分割されている。
【００４２】
続いて、図１〜図７を参照して、空気清浄機１００の空気の清浄化動作について説明する。
【００４３】
まず、図３および図４に示すように、吸気口１２０から筐体１１０の外部の空気が筐体１１０内に吸気される。
【００４４】
次に、吸気口１２０から吸気された空気は、上流フィルター部１３０によって濾過される。したがって、上流フィルター部１３０は、吸気口１２０から吸気された空気中に含まれる塵埃を除去する。さらに、上流フィルター部１３０は活性炭を含むため臭い成分が除去される。すなわち、脱臭が行われる。
【００４５】
次に、上流フィルター部１３０によって濾過された空気は、空間Ｓに流入する。空間Ｓ内には、オゾン発生部１４０によってオゾンが満たされている。したがって、空間Ｓ内の対象物に対してオゾンを作用させることができる。対象物は、例えば、空間Ｓ内に流入した空気に含まれる、ウイルス、菌および臭い成分である。
【００４６】
次に、空気流発生部１６０によって、空間Ｓ内の空気が吸引される。空間Ｓ内には、オゾン発生部１４０によってオゾンが満たされている。また、図５〜図７を参照して説明したように、下流フィルターユニット１５６の収容部１５６６には、触媒Ｃが収容されている。そして、触媒Ｃには、対象物が吸着されている。したがって、空気流発生部１６０によって、空間Ｓ内の空気が吸引されることによって、触媒Ｃに吸着された対象物にオゾンが吹き付けられる。その結果、対象物にオゾンを作用させることができる。詳しくは、オゾンによって、ウイルスおよび菌を殺菌することができる。また、オゾンによって、臭い成分を除去することができる。すなわち、脱臭することができる。したがって、下流フィルター部１５０を通過した空気は清浄化される。さらに、触媒Ｃによってオゾンは酸素に分解される。したがって、オゾンが下流フィルター部１５０の下流側へ排出されることを抑制することができる。
【００４７】
次に、清浄化された空気は、排出口１２５から筐体１１０の外部へ排出される。以上のようにして、空気清浄機１００は、設置された室内の空気を清浄化する。
【００４８】
図１〜図８を参照して説明したように、空気清浄機１００は、吸気口１２０と、排出口１２５と、空気流発生部１６０と、オゾン発生部１４０と、下流フィルター部１５０とを備える。下流フィルター部１５０は、第１フィルター１５６１と、第２フィルター１５６２と、支持部１５６４と、収容部１５６６とを有する。収容部１５６６は、オゾンを吸着し、酸化作用を発現する触媒Ｃを収容する。触媒Ｃには、対象物が吸着されている。そして、オゾン発生部１４０によって空間Ｓ発生したオゾンは、空気流発生部１６０によって、排出口１２５に向けて排出される。したがって、対象物が触媒Ｃに吸着されているため、オゾンを効果的に対象物に対して作用させることができる。その結果、効果的に室内の空気を清浄化することができる。
【００４９】
また、触媒Ｃは、ウイルスまたは菌の少なくとも一方を吸着する。したがって、触媒Ｃに吸着されたウイルスおよび菌を、オゾンによって殺菌することができる。その結果、効果的に室内の空気を清浄化することができる。
【００５０】
また、オゾン発生部１４０がオゾンを発生する筐体１１０内の空間Ｓは、上流フィルター部１３０と下流フィルター部１５０とによって規定される。このため、空間Ｓ内は、上流フィルター部１３０と下流フィルター部１５０とによって密閉される。したがって、オゾンを効果的に対象物に対して作用させることができる。その結果、効果的に室内の空気を清浄化することができる。
【００５１】
吸気口１２０は、筐体１１０の側面（側面１１１）に設けられる。また、吸気口１２０は、天面１１６よりも底面１１５側に設けられる。一般的に、塵埃、ウイルスおよび菌は、室内の下方に溜まりやすい。すなわち、塵埃、ウイルスおよび菌の濃度は、室内の上方よりも下方が高い。吸気口１２０は、天面１１６よりも底面１１５側に設けられているため、吸気口１２０から、効率よく、塵埃、ウイルスおよび菌を吸引することができる。
【００５２】
また、筐体１１０の排出口１２５は、天面１１６に設けられる。したがって、空気清浄機１００によって清浄化された空気は、排出口１２５から上方へ排出される。その結果、清浄化された空気を効率良く室内に循環させることができる。
【００５３】
以上、図面（図１〜図８）を参照しながら本発明の実施形態を説明した。但し、本発明は、上記の実施形態に限られるものではなく、その要旨を逸脱しない範囲で種々の態様において実施することが可能である（例えば、下記に示す（１）〜（４））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００５４】
（１）空気清浄機１００は、室内の空気の清浄化機能に加えて、加湿機能、除湿機能、室内の温度調整機能をさらに有していてもよい。
【００５５】
（２）本発明の実施形態では、上流フィルター部１３０は、２つの上流フィルターユニット１３６を有していたが、本発明はこれに限定されない。例えば、上流フィルター部１３０は、１つの上流フィルターユニット１３６を有していてもよい。あるいは、上流フィルター部１３０は、３つ以上の上流フィルターユニット１３６を有していてもよい。
【００５６】
（３）本発明の実施形態では、空気清浄機１００は、２つのオゾン発生部１４０を備えていたが、本発明はこれに限定されない。例えば、空気清浄機１００は、１つまたは３つ以上のオゾン発生部１４０を備えていてもよい。
【００５７】
（４）本発明の実施形態では、下流フィルター部１５０は、２つの下流フィルターユニット１５６を有していたが、本発明はこれに限定されない。例えば、下流フィルター部１５０は、１つの下流フィルターユニット１５６を有していてもよい。あるいは、下流フィルター部１５０は、３つ以上の下流フィルターユニット１５６を有していてもよい。
【符号の説明】
【００５８】
１００    空気清浄機
１１０    筐体
１１１    側面（第１側面）
１１２    側面（第２側面）
１１３    側面
１１４    側面（第２側面）
１１５    底面
１１６    天面
１２０    吸気口
１２５    排出口
１３０    上流フィルター部
１４０、１４０ａ、１４０ｂ  オゾン発生部
１５０    下流フィルター部
１６０    空気流発生部
１５６１    第１フィルター
１５６２    第２フィルター
１５６４    支持部
１５６６    収容部
Ｃ        触媒
Ｓ        空間
【要約】
【課題】効果的に室内の空気を清浄化できる空気清浄機を提供する。
【解決手段】空気清浄機１００は、筐体１１０と、吸気口１２０と、排出口１２５と、空気流発生部１６０と、オゾン発生部１４０と、下流フィルター部１５０とを備える。下流フィルター部１５０は、オゾン発生部１４０よりも下流側に配置される。下流フィルター部１５０は、第１フィルター１５６１と、第２フィルターと１５６２、支持部１５６４と、収容部１５６６とを有する。第１フィルター１５６１は、一方の側に配置される。第２フィルター１５６２は、他方の側に配置される。第２フィルター１５６２は、第１フィルター１５６１と対向する。支持部１５６４は、第１フィルター１５６１と第２フィルター１５６２とを支持する。収容部１５６６は、第１フィルター１５６１と第２フィルター１５６２との間に形成される。収容部１５６６は、触媒を収容する。触媒は、オゾンに作用する。
【選択図】図３【図１】
0006956982.tif 000002
【図２】
0006956982.tif 000003
【図３】
0006956982.tif 000004
【図４】
0006956982.tif 000005
【図５】
0006956982.tif 000006
【図６】
0006956982.tif 000007
【図７】
0006956982.tif 000008
【図８】
0006956982.tif 000009